(57)【要約】  心身状態推定装置１００は、特定のイベントの参加者における、特定のイベントの開始前の生体情報、及び特定のイベントの終了後の生体情報を取得する、生体情報取得部１０と、取得された、特定のイベントの開始前の生体情報と特定のイベントの終了後の生体情報との差分を算出する、差分算出部２０と、算出された差分に基づいて、参加者の心身状態の変化を推定する、推定部３０と、を備えている。
2019159352.tif 000002
【特許請求の範囲】
【請求項１】
特定のイベントの参加者における、前記特定のイベントの開始前の生体情報、及び前記特定のイベントの終了後の生体情報を取得する、生体情報取得部と、
取得された、前記特定のイベントの開始前の生体情報と前記特定のイベントの終了後の生体情報との差分を算出する、差分算出部と、
前記特定のイベントの開始前の生体情報、及び前記特定のイベントの終了後の生体情報のうち少なくとも一方と、算出された前記差分と、に基づいて、又は前記差分のみに基づいて、前記参加者の心身状態の変化を推定する、推定部と、
を備えていることを特徴とする心身状態推定装置。
【請求項２】
請求項１に記載の心身状態推定装置であって、
前記生体情報取得部が、前記生体情報として、前記参加者における、心拍数、皮膚温度、皮膚電気反応、動作の加速度のうち、少なくとも一つを取得する、
ことを特徴とする心身状態推定装置。
【請求項３】
請求項１または２に記載の心身状態推定装置であって、
前記推定部が、
サンプルとなるイベントの開始前に実施されたアンケートの結果と前記サンプルとなるイベントの終了後に実施されたアンケートの結果との差分を目的変数とし、前記サンプルとなるイベントの開始前の生体情報と前記サンプルとなるイベントの終了後の生体情報との差分を説明変数とした、機械学習によって得られた学習モデルを用いて、
前記参加者の心身状態の変化を推定する、
ことを特徴とする心身状態推定装置。
【請求項４】
（ａ）特定のイベントの参加者における、前記特定のイベントの開始前の生体情報、及び前記特定のイベントの終了後の生体情報を取得する、ステップと、
（ｂ）取得された、前記特定のイベントの開始前の生体情報と前記特定のイベントの終了後の生体情報との差分を算出する、ステップと、
（ｃ）前記特定のイベントの開始前の生体情報、及び前記特定のイベントの終了後の生体情報のうち少なくとも一方と、算出された前記差分と、に基づいて、又は前記差分のみに基づいて、前記参加者の心身状態の変化を推定する、ステップと、
を有することを特徴とする心身状態推定方法。
【請求項５】
請求項４に記載の心身状態推定方法であって、
前記（ａ）のステップにおいて、前記生体情報として、前記参加者における、心拍数、皮膚温度、皮膚電気反応、動作の加速度のうち、少なくとも一つを取得する、
ことを特徴とする心身状態推定方法。
【請求項６】
請求項４または５に記載の心身状態推定方法であって、
前記（ｃ）のステップにおいて、
サンプルとなるイベントの開始前に実施されたアンケートの結果と前記サンプルとなるイベントの終了後に実施されたアンケートの結果との差分を目的変数とし、前記サンプルとなるイベントの開始前の生体情報と前記サンプルとなるイベントの終了後の生体情報との差分を説明変数とした、機械学習によって得られた学習モデルを用いて、
前記参加者の心身状態の変化を推定する、
ことを特徴とする心身状態推定方法。
【請求項７】
コンピュータに、
（ａ）特定のイベントの参加者における、前記特定のイベントの開始前の生体情報、及び前記特定のイベントの終了後の生体情報を取得する、ステップと、
（ｂ）取得された、前記特定のイベントの開始前の生体情報と前記特定のイベントの終了後の生体情報との差分を算出する、ステップと、
（ｃ）前記特定のイベントの開始前の生体情報、及び前記特定のイベントの終了後の生体情報のうち少なくとも一方と、算出された前記差分と、に基づいて、又は前記差分のみに基づいて、前記参加者の心身状態の変化を推定する、ステップと、
を実行させる命令を含む、プログラムを記録していることを特徴とするコンピュータ読み取り可能な記録媒体。
【請求項８】
請求項７に記載のコンピュータ読み取り可能な記録媒体であって、
前記（ａ）のステップにおいて、前記生体情報として、前記参加者における、心拍数、皮膚温度、皮膚電気反応、動作の加速度のうち、少なくとも一つを取得する、
ことを特徴とするコンピュータ読み取り可能な記録媒体。
【請求項９】
請求項７または８に記載のコンピュータ読み取り可能な記録媒体であって、
前記（ｃ）のステップにおいて、
サンプルとなるイベントの開始前に実施されたアンケートの結果と前記サンプルとなるイベントの終了後に実施されたアンケートの結果との差分を目的変数とし、前記サンプルとなるイベントの開始前の生体情報と前記サンプルとなるイベントの終了後の生体情報との差分を説明変数とした、機械学習によって得られた学習モデルを用いて、
前記参加者の心身状態の変化を推定する、
ことを特徴とするコンピュータ読み取り可能な記録媒体。
【発明の詳細な説明】
【技術分野】
【０００１】
本発明は、ユーザの心身状態の変化を推定するための、心身状態推定装置、及び心身状態推定方法に関し、更には、これらを実現するためのプログラムを記録したコンピュータ読み取り可能な記録媒体に関する。
【背景技術】
【０００２】
近年、ストレス、疲労感、幸福感といった、人の主観的な心身状態を推定する試みがなされている。このような試みは、セミナー、ワークショップといったイベントの効果の確認等に有用である、と考えられる。また、心身状態を推定できれば、職場でのストレス又は疲労感を軽減することも可能になると考えられる。【０００３】
また、特許文献１は、人の心身状態を推定するための装置を開示している。特許文献１に開示された装置は、アイウエア型の装置であり、ユーザの眼電位から、ユーザの特徴的な眼動を検出し、検出した眼動から心身状態を推定する。【０００４】
具体的には、特許文献１に開示された装置では、予め、特徴的な眼動のパターンと、その眼動が検出されたときの外部刺激（例えば、映画の種々なシーンにおける、人の五感への刺激）とが、対応付けられて記録されている。そして、特許文献１に開示された装置は、特徴的な眼動を検出すると、登録されている外部刺激の中から、検出した眼動のパターンに一致する外部刺激を特定し、特定した外部刺激から、ユーザの心身状態を推定する。
【先行技術文献】
【特許文献】
【０００５】
【特許文献１】特開２０１７−１５３８８７号公報
【発明の概要】
【発明が解決しようとする課題】
【０００６】
ところで、上記特許文献１に開示された装置は、眼動の検出によって心身状態を推定しており、推定される心身状態は、眼動が生じた時点の心身状態である。つまり、上記特許文献１に開示された装置では、瞬間における心身状態の推定は可能であるが、イベントの開始から終了までの間における心身状態の変化の推定は不可能である。このため、上記特許文献１に開示された装置には、イベントの効果を確認できないという問題がある。【０００７】
本発明の目的の一例は、上記問題を解消し、イベントの前後における心身状態の変化を推定し得る、心身状態推定装置、心身状態推定方法、及びコンピュータ読み取り可能な記録媒体を提供することにある。
【課題を解決するための手段】
【０００８】
上記目的を達成するため、本発明の一側面における心身状態推定装置は、
特定のイベントの参加者における、前記特定のイベントの開始前の生体情報、及び前記特定のイベントの終了後の生体情報を取得する、生体情報取得部と、
取得された、前記特定のイベントの開始前の生体情報と前記特定のイベントの終了後の生体情報との差分を算出する、差分算出部と、
前記特定のイベントの開始前の生体情報、及び前記特定のイベントの終了後の生体情報のうち少なくとも一方と、算出された前記差分と、に基づいて、又は前記差分のみに基づいて、前記参加者の心身状態の変化を推定する、推定部と、
を備えていることを特徴とする。【０００９】
また、上記目的を達成するため、本発明の一側面における心身状態推定方法は、
（ａ）特定のイベントの参加者における、前記特定のイベントの開始前の生体情報、及び前記特定のイベントの終了後の生体情報を取得する、ステップと、
（ｂ）取得された、前記特定のイベントの開始前の生体情報と前記特定のイベントの終了後の生体情報との差分を算出する、ステップと、
（ｃ）前記特定のイベントの開始前の生体情報、及び前記特定のイベントの終了後の生体情報のうち少なくとも一方と、算出された前記差分と、に基づいて、又は前記差分のみに基づいて、前記参加者の心身状態の変化を推定する、ステップと、
を有することを特徴とする。【００１０】
更に、上記目的を達成するため、本発明の一側面におけるコンピュータ読み取り可能な記録媒体は、
コンピュータに、
（ａ）特定のイベントの参加者における、前記特定のイベントの開始前の生体情報、及び前記特定のイベントの終了後の生体情報を取得する、ステップと、
（ｂ）取得された、前記特定のイベントの開始前の生体情報と前記特定のイベントの終了後の生体情報との差分を算出する、ステップと、
（ｃ）前記特定のイベントの開始前の生体情報、及び前記特定のイベントの終了後の生体情報のうち少なくとも一方と、算出された前記差分と、に基づいて、又は前記差分のみに基づいて、前記参加者の心身状態の変化を推定する、ステップと、
を実行させる命令を含む、プログラムを記録していることを特徴とする。
【発明の効果】
【００１１】
以上のように本発明によれば、イベントの前後における心身状態の変化を推定することができる。
【図面の簡単な説明】
【００１２】
【図１】図１は、本発明の実施の形態における心身状態推定装置の概略構成を示すブロック図である。
【図２】図２は、本発明の実施の形態における心身状態推定装置の具体的構成を示すブロック図である。
【図３】図３は、本発明の実施の形態において学習モデルの生成に用いられる目的変数及び説明変数の取得タイミングを説明するための図である。
【図４】図４は、本発明の実施の形態において学習モデルの生成に用いられる目的変数の一例を示す図である。
【図５】図５は、本発明の実施の形態において学習モデルの生成に用いられる説明変数の一例を示す図である。
【図６】図６は、本発明の実施の形態における心身状態推定装置の動作を示すフロー図である。
【図７】図７は、本発明の実施の形態における心身状態推定装置を実現するコンピュータの一例を示すブロック図である。
【発明を実施するための形態】
【００１３】
（実施の形態）
以下、本発明の実施の形態における、心身状態推定装置、心身状態推定方法、及びプログラムについて、図１〜図７を参照しながら説明する。
【００１４】
［装置構成］
最初に、本実施の形態における心身状態推定装置の構成について説明する。図１は、本発明の実施の形態における心身状態推定装置の概略構成を示すブロック図である。
【００１５】
図１に示す、本実施の形態における心身状態推定装置１００は、人の心身状態の変化を推定するための装置である。心身状態推定装置１００は、生体情報取得部１０と、差分算出部２０と、推定部３０とを備えている。
【００１６】
生体情報取得部１０は、特定のイベントに参加する参加者における、特定のイベントの開始前の生体情報、及び特定のイベントの終了後の生体情報を取得する。また、本実施の形態において、イベントとしては、例えば、ワークショップ（体験型講座）、セミナー、研修、勉強会、コンサート等が挙げられる。
【００１７】
差分算出部２０は、生体情報取得部１０によって取得された、特定のイベントの開始前の生体情報と特定のイベントの終了後の生体情報との差分を算出する。推定部３０は、特定のイベントの開始前の生体情報、及び特定のイベントの終了後の生体情報のうち少なくとも一方と、差分算出部２０によって算出された差分と、に基づいて、参加者の心身状態の変化を推定する。また、推定部３０は、差分算出部２０によって算出された差分のみに基づいて、参加者の心身状態の変化を推定することもできる。
【００１８】
このように、本実施の形態における心身状態推定装置１００は、イベントの前後での生体情報の差分を算出し、差分から心身状態を推定する。つまり、心身状態推定装置１００によれば、瞬間ではなく、イベントの開始から終了までの間における心身状態の変化が推定される。
【００１９】
ここで、図２を用いて、心身状態推定装置１００の構成を更に詳細に説明する。図２は、本発明の実施の形態における心身状態推定装置の具体的構成を示すブロック図である。
【００２０】
図２に示すように、本実施の形態においては、心身状態推定装置１００は、人の生体情報を取得可能な端末装置６０にデータ通信可能に接続されている。図２の例では、端末装置６０は、無線通信によって、心身状態推定装置１００とデータ通信を行っている。また、端末装置６０は、生体情報を検出するセンサを備えている。
【００２１】
また、本実施の形態では、生体情報としては、例えば、参加者７０における、心拍数、皮膚温度、皮膚電気反応、動作の加速度等が挙げられる。また、生体情報は、これらのうちの１つの情報であっても良いし、２以上を組み合わせた情報であっても良い。
【００２２】
端末装置６０としては、例えば、腕時計型の端末装置、眼鏡型の端末装置といったウェアラブル端末が挙げられる。また、端末装置６０に備えられるセンサとしては、例えば、生体情報が心拍数であれば、心電図を測定するための電極、血液の動きを光学的に検出する光学センサが挙げられる。
【００２３】
更に、センサとしては、生体情報が皮膚温度であれば、温度センサが挙げられ、生体情報が皮膚電気反応であれば、皮膚の電位を検出する電位センサが挙げられ、生体情報が動作の加速度であれば、加速度センサが挙げられる。
【００２４】
また、端末装置６０は、センサが出力したセンサデータを取得すると、取得したセンサデータを用いて、心拍数、皮膚温度、皮膚電気反応、加速度といった生体情報を算出し、算出した生体情報を、心身状態推定装置１００に送信する。生体情報取得部１０は、本実施の形態では、端末装置６０から送信されてきた生体情報を取得する。
【００２５】
また、本実施の形態では、心身状態推定装置１００は、生体情報取得部１０、差分算出部２０、及び推定部３０に加えて、学習モデル生成部４０と、記憶部５０とを備えている。学習モデル生成部４０は、まず、サンプルとなるイベントの開始前に実施されたアンケートの結果とサンプルとなるイベントの終了後に実施されたアンケートの結果との差分を目的変数とする。また、学習モデル生成部４０は、サンプルとなるイベントの開始前の生体情報とサンプルとなるイベントの終了後の生体情報との差分を説明変数とする。そして、学習モデル生成部４０は、これらの目的変数と説明変数とを用いて、機械学習を実行し、学習モデル４１を生成する。また、学習モデル生成部４０は、生成した学習モデル４１を記憶部５０に格納する。
【００２６】
推定部３０は、本実施の形態では、学習モデル生成部４０によって生成された学習モデル４１を用いて、参加者７０の心身状態の変化を推定する。具体的には、推定部３０は、イベントの開始前の生体情報、イベントの終了後の生体情報、及び差分算出部２０によって算出された差分を、学習モデル４１に入力する。又は、推定部３０は、差分算出部２０によって算出された差分にのみを、学習モデル４１に入力することもできる。
【００２７】
これにより、心身状態の推定対象となる特定のイベントにおいて、開始前及び終了後にアンケートが実施された場合に得られるであろう、アンケート結果の差分（推定値）が得られることになる。そして、この得られた差分は、特定のイベントの参加者の心身状態の変化を示している。
【００２８】
ここで、図３及び図４を用いて学習モデルの生成処理について説明する。図３は、本発明の実施の形態において学習モデルの生成に用いられる目的変数及び説明変数の取得タイミングを説明するための図である。図４は、本発明の実施の形態において学習モデルの生成に用いられる目的変数の一例を示す図である。図５は、本発明の実施の形態において学習モデルの生成に用いられる説明変数の一例を示す図である。
【００２９】
図３は、サンプルとなるイベントがワークショップであり、このワークショップに参加する参加者から得られた生体情報とアンケートの結果とを用いて、学習モデル４１が生成される例を示している。そして、図３の例では、ワークショップの開始３０分前から、ワークショップ終了後１５分までの間、参加者それぞれから、端末装置６０を介して、生体情報が取得されているとする。また、アンケートは、ワークショップの開始前と終了後とに実施されている。
【００３０】
また、ワークショップが、例えば、幸福度の向上を図ることを目的としたものであるとすると、アンケートとしては、参加者が幸福度をどの程度感じているかを数値化できるものが挙げられる。アンケートの具体例としては、例えば、イリノイ大学名誉教授エド・ディーナーによって考案された「人生満足尺度」が挙げられる。
【００３１】
更に、ワークショップが、例えば、仕事でのストレスの軽減を図ることを目的としたものであるとする、アンケートとしては、参加者が仕事に対して感じていることを数値化できるものが挙げられる。アンケートの具体例としては、仕事に関する調査（URL:http://www.wilmarschaufeli.nl/publications/Schaufeli/Tests/UWES_JAP_9.pdf）、仕事とウェルビーイング（満足度）に関する調査（URL:http://www.wilmarschaufeli.nl/publications/Schaufeli/Tests/DUWAS_20_JAP.pdf）等が挙げられる。
【００３２】
また、図４に示すように、目的変数となる「イベントの開始前に実施されたアンケートの結果とイベントの終了後に実施されたアンケートの結果との差分」は、ワークショップに参加した参加者毎に算出される。
【００３３】
更に、図５に示すように、説明変数となる「イベントの開始前の生体情報とイベントの終了後の生体情報との差分」も、ワークショップに参加した参加者毎に算出される。また、図５の例では、生体情報の差分として、参加者毎に、１３個の差分が算出されている。
【００３４】
なお、目的変数及び説明変数の算出は、心身状態推定装置１００の外部で行われていても良いし、学習モデル生成部４０によって行われていても良い。後者の場合は、学習モデル生成部４０は、イベントの開始前に実施されたアンケートの結果、イベントの終了後に実施されたアンケートの結果、イベントの開始前の生体情報、及びイベントの終了後の生体情報を、外部から受け取る。また、学習モデル生成部４０は、受け取ったデータに基づいて、上述の差分を算出する。
【００３５】
また、本実施の形態において、学習モデル生成部４０は、既存の学習エンジン、例えば、サポートベクトルマシン、ニューラルネットワーク等を用いて機械学習を実行することができる。
【００３６】
［装置動作］
次に、本実施の形態における心身状態推定装置１００の動作について、図６を用いて説明する。図６は、本発明の実施の形態における心身状態推定装置の動作を示すフロー図である。以下の説明においては、適宜図１〜図５を参酌する。また、本実施の形態では、心身状態推定装置１００を動作させることによって、心身状態推定方法が実施される。よって、本実施の形態における心身状態推定方法の説明は、以下の心身状態推定装置１００の動作説明に代える。
【００３７】
まず、前提として、学習モデル生成部４０が、サンプルとなるイベントで得られた、生体情報の差分とアンケートの結果の差分とを用いて、学習モデル４１を生成し、生成した学習モデル４１を記憶部５０に格納しているとする。
【００３８】
また、心身状態の推定対象となる特定のイベントが実施され、それに参加した参加者それぞれから、端末装置６０を介して、生体情報が取得されているとする。更に、各端末装置６０は、取得した生体情報を、心身状態推定装置１００に送信しているとする。
【００３９】
図６に示すように、最初に、生体情報取得部１０は、端末装置６０から心身状態推定装置１００に送信されてきている生体情報の中から、イベントの開始前の生体情報と、イベントの終了後の生体情報とを取得する（ステップＡ１）。また、参加者が複数存在し、それぞれの端末装置６０から生体情報が送信されてきている場合は、生体情報取得部１０は、参加者毎に、イベントの開始前及び終了後の生体情報を取得する。
【００４０】
次に、差分算出部２０は、ステップＡ１で取得された、イベントの開始前の生体情報と、イベントの終了後の生体情報との差分を算出する（ステップＡ２）。参加者が複数存在する場合は、差分算出部２０は、参加者毎に、差分を算出する。
【００４１】
具体的には、差分算出部２０は、生体情報の平均値の差分、標準偏差の差分、中央値の差分を算出する。また、生体情報が複数ある場合は、差分算出部２０は、各生体情報について、平均値の差分、標準偏差の差分、中央値の差分を算出する（図５参照）。
【００４２】
次に、推定部３０は、ステップＡ１で取得されたイベントの開始前の生体情報及びイベントの終了後の生体情報と、ステップＡ２で算出された差分とを、学習モデルに入力して、イベントの参加者の心身状態の変化を推定する（ステップＡ３）。参加者が複数存在する場合は、推定部３０は、参加者毎に、心身状態の変化を推定する。また、ステップＡ３では、推定部３０は、ステップＡ２で算出された差分のみを、学習モデルに入力しても良い。その後、推定部３０は、推定結果を外部に出力する（ステップＡ４）。
【００４３】
以上のように本実施の形態によれば、瞬間ではなく、イベントの開始から終了までの間における参加者の心身状態の変化を推定することが可能となるので、イベントによる効果を確認することができる。また、本実施の形態では、心身状態の変化は、ルールに基づいて一律に推定されているわけではなく、機械学習によって得られた学習モデルを用いて推定されていることから、推定結果の信頼性は高くなると期待される。
【００４４】
［プログラム］
本発明の実施の形態におけるプログラムは、コンピュータに、図６に示すステップＡ１〜Ａ４を実行させるプログラムであれば良い。このプログラムをコンピュータにインストールし、実行することによって、本実施の形態における心身状態推定装置１００と心身状態推定方法とを実現することができる。この場合、コンピュータのプロセッサは、生体情報取得部１０、差分算出部２０、推定部３０、及び学習モデル生成部４０として機能し、処理を行なう。また、本実施の形態では、記憶部５０、コンピュータに備えられたハードディスク等の記憶装置によって実現できる。
【００４５】
また、本実施の形態におけるプログラムは、複数のコンピュータによって構築されたコンピュータシステムによって実行されても良い。この場合は、例えば、各コンピュータが、それぞれ、生体情報取得部１０、差分算出部２０、推定部３０、及び学習モデル生成部４０のいずれかとして機能しても良い。また、記憶部５０は、本実施の形態におけるプログラムを実行するコンピュータとは別のコンピュータ上に構築されていても良い。
【００４６】
ここで、本実施の形態におけるプログラムを実行することによって、心身状態推定装置１００を実現するコンピュータについて図７を用いて説明する。図７は、本発明の実施の形態における心身状態推定装置を実現するコンピュータの一例を示すブロック図である。
【００４７】
図７に示すように、コンピュータ１１０は、ＣＰＵ（Central Processing Unit）１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。なお、コンピュータ１１０は、ＣＰＵ１１１に加えて、又はＣＰＵ１１１に代えて、ＧＰＵ（Graphics Processing Unit）、又はＦＰＧＡ（Field-Programmable Gate Array）を備えていても良い。
【００４８】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００４９】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００５０】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００５１】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記録媒体、又はＣＤ−ＲＯＭ（Compact DiskRead Only Memory）などの光学記録媒体が挙げられる。
【００５２】
なお、本実施の形態における心身状態推定装置１００は、プログラムがインストールされたコンピュータではなく、各部に対応したハードウェアを用いることによっても実現可能である。更に、心身状態推定装置１００は、一部がプログラムで実現され、残りの部分がハードウェアで実現されていてもよい。
【００５３】
上述した実施の形態の一部又は全部は、以下に記載する（付記１）〜（付記９）によって表現することができるが、以下の記載に限定されるものではない。
【００５４】
（付記１）
特定のイベントの参加者における、前記特定のイベントの開始前の生体情報、及び前記特定のイベントの終了後の生体情報を取得する、生体情報取得部と、
取得された、前記特定のイベントの開始前の生体情報と前記特定のイベントの終了後の生体情報との差分を算出する、差分算出部と、
前記特定のイベントの開始前の生体情報、及び前記特定のイベントの終了後の生体情報のうち少なくとも一方と、算出された前記差分と、に基づいて、又は前記差分のみに基づいて、前記参加者の心身状態の変化を推定する、推定部と、
を備えていることを特徴とする心身状態推定装置。
【００５５】
（付記２）
付記１に記載の心身状態推定装置であって、
前記生体情報取得部が、前記生体情報として、前記参加者における、心拍数、皮膚温度、皮膚電気反応、動作の加速度のうち、少なくとも一つを取得する、
ことを特徴とする心身状態推定装置。
【００５６】
（付記３）
付記１または２に記載の心身状態推定装置であって、
前記推定部が、
サンプルとなるイベントの開始前に実施されたアンケートの結果と前記サンプルとなるイベントの終了後に実施されたアンケートの結果との差分を目的変数とし、前記サンプルとなるイベントの開始前の生体情報と前記サンプルとなるイベントの終了後の生体情報との差分を説明変数とした、機械学習によって得られた学習モデルを用いて、
前記参加者の心身状態の変化を推定する、
ことを特徴とする心身状態推定装置。
【００５７】
（付記４）
（ａ）特定のイベントの参加者における、前記特定のイベントの開始前の生体情報、及び前記特定のイベントの終了後の生体情報を取得する、ステップと、
（ｂ）取得された、前記特定のイベントの開始前の生体情報と前記特定のイベントの終了後の生体情報との差分を算出する、ステップと、
（ｃ）前記特定のイベントの開始前の生体情報、及び前記特定のイベントの終了後の生体情報のうち少なくとも一方と、算出された前記差分と、に基づいて、又は前記差分のみに基づいて、前記参加者の心身状態の変化を推定する、ステップと、
を有することを特徴とする心身状態推定方法。
【００５８】
（付記５）
付記４に記載の心身状態推定方法であって、
前記（ａ）のステップにおいて、前記生体情報として、前記参加者における、心拍数、皮膚温度、皮膚電気反応、動作の加速度のうち、少なくとも一つを取得する、
ことを特徴とする心身状態推定方法。
【００５９】
（付記６）
付記４または５に記載の心身状態推定方法であって、
前記（ｃ）のステップにおいて、
サンプルとなるイベントの開始前に実施されたアンケートの結果と前記サンプルとなるイベントの終了後に実施されたアンケートの結果との差分を目的変数とし、前記サンプルとなるイベントの開始前の生体情報と前記サンプルとなるイベントの終了後の生体情報との差分を説明変数とした、機械学習によって得られた学習モデルを用いて、
前記参加者の心身状態の変化を推定する、
ことを特徴とする心身状態推定方法。
【００６０】
（付記７）
コンピュータに、
（ａ）特定のイベントの参加者における、前記特定のイベントの開始前の生体情報、及び前記特定のイベントの終了後の生体情報を取得する、ステップと、
（ｂ）取得された、前記特定のイベントの開始前の生体情報と前記特定のイベントの終了後の生体情報との差分を算出する、ステップと、
（ｃ）前記特定のイベントの開始前の生体情報、及び前記特定のイベントの終了後の生体情報のうち少なくとも一方と、算出された前記差分と、に基づいて、又は前記差分のみに基づいて、前記参加者の心身状態の変化を推定する、ステップと、
を実行させる命令を含む、プログラムを記録していることを特徴とするコンピュータ読み取り可能な記録媒体。
【００６１】
（付記８）
付記７に記載のコンピュータ読み取り可能な記録媒体であって、
前記（ａ）のステップにおいて、前記生体情報として、前記参加者における、心拍数、皮膚温度、皮膚電気反応、動作の加速度のうち、少なくとも一つを取得する、
ことを特徴とするコンピュータ読み取り可能な記録媒体。
【００６２】
（付記９）
付記７または８に記載のコンピュータ読み取り可能な記録媒体であって、
前記（ｃ）のステップにおいて、
サンプルとなるイベントの開始前に実施されたアンケートの結果と前記サンプルとなるイベントの終了後に実施されたアンケートの結果との差分を目的変数とし、前記サンプルとなるイベントの開始前の生体情報と前記サンプルとなるイベントの終了後の生体情報との差分を説明変数とした、機械学習によって得られた学習モデルを用いて、
前記参加者の心身状態の変化を推定する、
ことを特徴とするコンピュータ読み取り可能な記録媒体。
【００６３】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【産業上の利用可能性】
【００６４】
以上のように本発明によれば、イベントの前後における心身状態の変化を推定することができる。本発明は、ワークショップ、セミナーといったイベントの効果の確認に有用である。
【符号の説明】
【００６５】
１０  生体情報取得部
２０  差分算出部
３０  推定部
４０  学習モデル生成部
４１  学習モデル
５０  記憶部
６０  端末装置
７０  参加者
１００  心身状態推定装置
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
2019159352.tif 000003
【図２】
2019159352.tif 000004
【図３】
2019159352.tif 000005
【図４】
2019159352.tif 000006
【図５】
2019159352.tif 000007
【図６】
2019159352.tif 000008
【図７】
2019159352.tif 000009
【手続補正書】
【提出日】令和2年8月14日(2020.8.14)
【手続補正１】
【補正対象書類名】特許請求の範囲
【補正対象項目名】全文
【補正方法】変更
【補正の内容】
【特許請求の範囲】
【請求項１】
特定のイベントの参加者における、前記特定のイベントの開始前の生体情報、及び前記特定のイベントの終了後の生体情報を取得する、生体情報取得部と、
取得された、前記特定のイベントの開始前の生体情報と前記特定のイベントの終了後の生体情報との差分を算出する、差分算出部と、
前記特定のイベントの開始前の生体情報、及び前記特定のイベントの終了後の生体情報のうち少なくとも一方と、算出された前記差分と、に基づいて、又は前記差分のみに基づいて、前記参加者の心身状態の変化を推定する、推定部と、
を備えていることを特徴とする心身状態推定装置。
【請求項２】
請求項１に記載の心身状態推定装置であって、
前記生体情報取得部が、前記生体情報として、前記参加者における、心拍数、皮膚温度、皮膚電気反応、動作の加速度のうち、少なくとも一つを取得する、
ことを特徴とする心身状態推定装置。
【請求項３】
請求項１または２に記載の心身状態推定装置であって、
前記推定部が、
サンプルとなるイベントの開始前に実施されたアンケートの結果と前記サンプルとなるイベントの終了後に実施されたアンケートの結果との差分を目的変数とし、前記サンプルとなるイベントの開始前の生体情報と前記サンプルとなるイベントの終了後の生体情報との差分を説明変数とした、機械学習によって得られた学習モデルを用いて、
前記参加者の心身状態の変化を推定する、
ことを特徴とする心身状態推定装置。
【請求項４】
（ａ）特定のイベントの参加者における、前記特定のイベントの開始前の生体情報、及び前記特定のイベントの終了後の生体情報を取得する、ステップと、
（ｂ）取得された、前記特定のイベントの開始前の生体情報と前記特定のイベントの終了後の生体情報との差分を算出する、ステップと、
（ｃ）前記特定のイベントの開始前の生体情報、及び前記特定のイベントの終了後の生体情報のうち少なくとも一方と、算出された前記差分と、に基づいて、又は前記差分のみに基づいて、前記参加者の心身状態の変化を推定する、ステップと、
を有することを特徴とする心身状態推定方法。
【請求項５】
請求項４に記載の心身状態推定方法であって、
前記（ａ）のステップにおいて、前記生体情報として、前記参加者における、心拍数、皮膚温度、皮膚電気反応、動作の加速度のうち、少なくとも一つを取得する、
ことを特徴とする心身状態推定方法。
【請求項６】
請求項４または５に記載の心身状態推定方法であって、
前記（ｃ）のステップにおいて、
サンプルとなるイベントの開始前に実施されたアンケートの結果と前記サンプルとなるイベントの終了後に実施されたアンケートの結果との差分を目的変数とし、前記サンプルとなるイベントの開始前の生体情報と前記サンプルとなるイベントの終了後の生体情報との差分を説明変数とした、機械学習によって得られた学習モデルを用いて、
前記参加者の心身状態の変化を推定する、
ことを特徴とする心身状態推定方法。
【請求項７】
コンピュータに、
（ａ）特定のイベントの参加者における、前記特定のイベントの開始前の生体情報、及び前記特定のイベントの終了後の生体情報を取得する、ステップと、
（ｂ）取得された、前記特定のイベントの開始前の生体情報と前記特定のイベントの終了後の生体情報との差分を算出する、ステップと、
（ｃ）前記特定のイベントの開始前の生体情報、及び前記特定のイベントの終了後の生体情報のうち少なくとも一方と、算出された前記差分と、に基づいて、又は前記差分のみに基づいて、前記参加者の心身状態の変化を推定する、ステップと、
を実行させる、プログラム。
【請求項８】
請求項７に記載のプログラムであって、
前記（ａ）のステップにおいて、前記生体情報として、前記参加者における、心拍数、皮膚温度、皮膚電気反応、動作の加速度のうち、少なくとも一つを取得する、
ことを特徴とするプログラム。
【請求項９】
請求項７または８に記載のプログラムであって、
前記（ｃ）のステップにおいて、
サンプルとなるイベントの開始前に実施されたアンケートの結果と前記サンプルとなるイベントの終了後に実施されたアンケートの結果との差分を目的変数とし、前記サンプルとなるイベントの開始前の生体情報と前記サンプルとなるイベントの終了後の生体情報との差分を説明変数とした、機械学習によって得られた学習モデルを用いて、
前記参加者の心身状態の変化を推定する、
ことを特徴とするプログラム。
【手続補正３】
【補正対象書類名】明細書
【補正対象項目名】０００１
【補正方法】変更
【補正の内容】
【０００１】
本発明は、ユーザの心身状態の変化を推定するための、心身状態推定装置、及び心身状態推定方法に関し、更には、これらを実現するためのプログラムに関する。
【手続補正４】
【補正対象書類名】明細書
【補正対象項目名】０００７
【補正方法】変更
【補正の内容】
【０００７】
本発明の目的の一例は、上記問題を解消し、イベントの前後における心身状態の変化を推定し得る、心身状態推定装置、心身状態推定方法、及びプログラムを提供することにある。
【手続補正５】
【補正対象書類名】明細書
【補正対象項目名】００１０
【補正方法】変更
【補正の内容】
【００１０】
更に、上記目的を達成するため、本発明の一側面におけるプログラムは、
コンピュータに、
（ａ）特定のイベントの参加者における、前記特定のイベントの開始前の生体情報、及び前記特定のイベントの終了後の生体情報を取得する、ステップと、
（ｂ）取得された、前記特定のイベントの開始前の生体情報と前記特定のイベントの終了後の生体情報との差分を算出する、ステップと、
（ｃ）前記特定のイベントの開始前の生体情報、及び前記特定のイベントの終了後の生体情報のうち少なくとも一方と、算出された前記差分と、に基づいて、又は前記差分のみに基づいて、前記参加者の心身状態の変化を推定する、ステップと、
を実行させることを特徴とする。
【手続補正６】
【補正対象書類名】明細書
【補正対象項目名】００６０
【補正方法】変更
【補正の内容】
【００６０】
（付記７）
コンピュータに、
（ａ）特定のイベントの参加者における、前記特定のイベントの開始前の生体情報、及び前記特定のイベントの終了後の生体情報を取得する、ステップと、
（ｂ）取得された、前記特定のイベントの開始前の生体情報と前記特定のイベントの終了後の生体情報との差分を算出する、ステップと、
（ｃ）前記特定のイベントの開始前の生体情報、及び前記特定のイベントの終了後の生体情報のうち少なくとも一方と、算出された前記差分と、に基づいて、又は前記差分のみに基づいて、前記参加者の心身状態の変化を推定する、ステップと、
を実行させる、プログラム。
【手続補正７】
【補正対象書類名】明細書
【補正対象項目名】００６１
【補正方法】変更
【補正の内容】
【００６１】
（付記８）
付記７に記載のプログラムであって、
前記（ａ）のステップにおいて、前記生体情報として、前記参加者における、心拍数、皮膚温度、皮膚電気反応、動作の加速度のうち、少なくとも一つを取得する、
ことを特徴とするプログラム。
【手続補正８】
【補正対象書類名】明細書
【補正対象項目名】００６２
【補正方法】変更
【補正の内容】
【００６２】
（付記９）
付記７または８に記載のプログラムであって、
前記（ｃ）のステップにおいて、
サンプルとなるイベントの開始前に実施されたアンケートの結果と前記サンプルとなるイベントの終了後に実施されたアンケートの結果との差分を目的変数とし、前記サンプルとなるイベントの開始前の生体情報と前記サンプルとなるイベントの終了後の生体情報との差分を説明変数とした、機械学習によって得られた学習モデルを用いて、
前記参加者の心身状態の変化を推定する、
ことを特徴とするプログラム。                                                                              
【国際調査報告】
2019159352.tif 000010
2019159352.tif 000011
2019159352.tif 000012
2019159352.tif 000013